(57)【要約】【課題】ワンタッチダイヤルボタンを備える通信端末装置に関し、電話番号やメールアドレス等の呼出しデータの登録に要する操作を簡略化する。【解決手段】ワンタッチダイヤルボタン（２２、２２１、２２２、２２３）を備えた通信端末装置（携帯電話機２）であって、呼出しデータを登録する呼出しデータ登録部（電話帳データベース１２）と、前記ワンタッチダイヤルボタンの操作に応じて呼び出される呼出しデータの、前記呼出しデータ登録部におけるアドレスを登録するワンタッチダイヤル登録部（１４）と、前記ワンタッチダイヤル登録部にアドレスが登録されていない状態で前記ワンタッチダイヤルボタンが操作された場合に、前記呼出しデータ登録部への呼出しデータの登録を受付ける制御部（４）とを備える。【選択図】図１
2010063171.tif 000002
【特許請求の範囲】
【請求項１】
ワンタッチダイヤルボタンを備えた通信端末装置であって、
呼出しデータを登録する呼出しデータ登録部と、
前記ワンタッチダイヤルボタンの操作に応じて呼び出される呼出しデータの、前記呼出しデータ登録部におけるアドレスを登録するワンタッチダイヤル登録部と、
前記ワンタッチダイヤル登録部にアドレスが登録されていない状態で前記ワンタッチダイヤルボタンが操作された場合に、前記呼出しデータ登録部への呼出しデータの登録を受付ける制御部と、
を備えることを特徴とする通信端末装置。
【請求項２】
前記制御部は、
登録を受付けた前記呼出しデータの、前記呼出しデータ登録部におけるアドレスを、前記ワンタッチダイヤル登録部へ登録することを特徴とする請求項１記載の通信端末装置。
【請求項３】
ワンタッチダイヤルボタンを備えた通信端末装置のダイヤル登録方法であって、
呼出しデータを呼出しデータ登録部に登録する処理と、
前記ワンタッチダイヤルボタンの操作に応じて呼び出される呼出しデータの、前記呼出しデータ登録部におけるアドレスを登録するワンタッチダイヤル登録部にアドレスが登録されていない状態で前記ワンタッチダイヤルボタンが操作された場合に、前記呼出しデータ登録部への呼出しデータの登録を受付ける処理と、
を含むことを特徴とする通信端末装置のダイヤル登録方法。
【請求項４】
ワンタッチダイヤルボタンを備えた通信端末装置のダイヤル登録プログラムであって、
呼出しデータを呼出しデータ登録部に登録するステップと、
前記ワンタッチダイヤルボタンの操作に応じて呼び出される呼出しデータの、前記呼出しデータ登録部におけるアドレスを登録するワンタッチダイヤル登録部にアドレスが登録されていない状態で前記ワンタッチダイヤルボタンが操作された場合に、前記呼出しデータ登録部への呼出しデータの登録を受付けるステップと、
を含み、これらのステップを情報処理部で処理することを特徴とする通信端末装置のダイヤル登録プログラム。
【発明の詳細な説明】
【技術分野】
【０００１】
本発明は、携帯電話機等の通信端末装置のワンタッチダイヤル登録制御に関し、特に、ワンタッチダイヤルボタンの操作を契機として電話番号登録が行える通信端末装置、そのダイヤル登録方法及びダイヤル登録プログラムに関する。
【背景技術】
【０００２】
従来の携帯電話機等の通信端末装置では、電話番号を入力するダイヤルボタンとは別にワンタッチダイヤルボタンを備え、ワンタッチダイヤルボタンを押下すると、それに登録されている電話番号の発信ができるものがある。このようなワンタッチダイヤルボタンを備えていても、電話番号が未登録の場合では、ワンタッチダイヤルボタンが押下されると、ユーザに未登録であることが告知され、待受画面に戻ってメニューモードからダイヤル登録をする操作を必要としている。
【０００３】
このようなワンタッチダイヤルボタンによる送信に関し、下記の特許文献１には送信時に入力された電話番号をワンタッチダイヤルに登録する方法が開示されている。このような登録方法は、電話番号の入力が必要であり、登録時に電話番号を記憶していない場合には登録することができないものである。
【先行技術文献】
【特許文献】
【０００４】
【特許文献１】特開２００４−１４７１３６号公報
【発明の概要】
【発明が解決しようとする課題】
【０００５】
ところで、ワンタッチダイヤルボタンに電話番号を登録する場合には、電話帳データベースに予め電話番号を登録する処理の後、改めてメニュー操作を行い、ワンタッチダイヤルボタンに電話番号を登録するワンタッチダイヤルボタンの登録処理が必要である。このような処理は、ユーザのボタン操作の回数が多く、ワンタッチダイヤルボタンを備えていても、登録操作が厄介であるため、使い勝手が悪いという課題があった。
【０００６】
また、ワンタッチダイヤルボタンが設置されていても、電話番号又はメールアドレスの入力が前提操作となる場合には、これら電話番号やメールアドレスを記憶していないか直ぐに参照できない場合には、電話番号又はメールアドレスを登録することができなかった。
【０００７】
このような課題について、特許文献１には全く開示や示唆はなく、その解決手段についての記載や示唆はない。
【０００８】
そこで、本発明は、このような課題に鑑み、ワンタッチダイヤルボタンを備える通信端末装置に関し、電話番号やメールアドレス等の呼出しデータの登録に要する操作を簡略化することを目的とする。
【課題を解決するための手段】
【０００９】
上記目的を達成するため、本発明の通信端末装置は、ワンタッチダイヤルボタンを備えた通信端末装置であって、呼出しデータを登録する呼出しデータ登録部と、前記ワンタッチダイヤルボタンの操作に応じて呼び出される呼出しデータの、前記呼出しデータ登録部におけるアドレスを登録するワンタッチダイヤル登録部と、前記ワンタッチダイヤル登録部にアドレスが登録されていない状態で前記ワンタッチダイヤルボタンが操作された場合に、前記呼出しデータ登録部への呼出しデータの登録を受付ける制御部とを備える構成である。この通信端末装置において、呼出しデータは、電話番号、メールアドレス等の相手先の呼出しに用いられる情報である。
【００１０】
上記目的を達成するため、本発明の通信端末装置のダイヤル登録方法は、ワンタッチダイヤルボタンを備えた通信端末装置のダイヤル登録方法であって、呼出しデータを呼出しデータ登録部に登録する処理と、前記ワンタッチダイヤルボタンの操作に応じて呼び出される呼出しデータの、前記呼出しデータ登録部におけるアドレスを登録するワンタッチダイヤル登録部にアドレスが登録されていない状態で前記ワンタッチダイヤルボタンが操作された場合に、前記呼出しデータ登録部への呼出しデータの登録を受付ける処理とを含む構成である。
【００１１】
上記目的を達成するため、本発明の通信端末装置のダイヤル登録プログラムは、ワンタッチダイヤルボタンを備えた通信端末装置のダイヤル登録プログラムであって、呼出しデータを呼出しデータ登録部に登録するステップと、前記ワンタッチダイヤルボタンの操作に応じて呼び出される呼出しデータの、前記呼出しデータ登録部におけるアドレスを登録するワンタッチダイヤル登録部にアドレスが登録されていない状態で前記ワンタッチダイヤルボタンが操作された場合に、前記呼出しデータ登録部への呼出しデータの登録を受付けるステップとを含み、これらのステップを情報処理部で処理する構成である。
【発明の効果】
【００１２】
本発明の通信端末装置又はそのダイヤル登録方法によれば、ワンタッチダイヤルボタンを備えた通信端末装置に関し、ダイヤル操作の回数を削減できるので、ワンタッチダイヤルボタンの機能性を改善でき、利便性を高めた通信端末装置を提供することができる。
【００１３】
本発明の通信端末装置のダイヤル登録プログラムによれば、ワンタッチダイヤルボタンを備えた通信端末装置に関し、ダイヤル操作の回数の削減により、ワンタッチダイヤルボタンの機能性を改善でき、通信端末装置の利便性を向上させることができる。
【図面の簡単な説明】
【００１４】
【図１】本発明の通信端末装置の実施形態に係る携帯電話機の構成例を示すブロック図である。
【図２】携帯電話機の外観構成を示す正面図である。
【図３】表示画面の構成例を示す図である。
【図４】表示画面の構成例を示す図である。
【図５】本発明の通信端末装置のダイヤル登録方法及びダイヤル登録プログラムの実施形態に係る処理手順を示すフローチャートである。
【図６】未登録のワンタッチダイヤルの登録処理の画面表示を示す図である。
【図７】未登録のワンタッチダイヤルの登録処理の画面表示を示す図である。
【図８】未登録のワンタッチダイヤルの未登録処理の画面表示を示す図である。
【図９】未登録のワンタッチダイヤルの登録処理の画面表示を示す図である。
【図１０】未登録のワンタッチダイヤルの登録処理の画面表示を示す図である。
【図１１】ワンタッチダイヤルによる送信方法又は送信プログラムの処理手順を示すフローチャートである。
【図１２】ワンタッチダイヤル送信処理の画面表示を示す図である。
【発明を実施するための形態】
【００１５】
本発明の通信端末装置の実施形態について、図１を参照して説明する。図１は、本発明の実施形態である携帯電話機の構成例を示している。
【００１６】
この携帯電話機２には、ＣＰＵ（Central Processing Unit ）等で構成される制御部４が備えられ、この制御部４には入力操作部６、ＲＯＭ（Read-Only Memory）８、ＲＡＭ（Random-Access Memory）１０、電話帳データベース１２、ワンタッチダイヤル登録部１４、表示部１６、無線送受信部１８等が接続されている。
【００１７】
制御部４は、電話番号登録プログラム、電話番号検索プログラム、ワンタッチダイヤル登録プログラム、表示制御プログラム、通信制御プログラム等の各種プログラムを動作させ、各種情報処理に用いられ、時間データを発生させるためのタイマー部２０を備えている。このタイマー部２０はハードウェア構成である必要はなく、ソフトウェアで構成してもよい。
【００１８】
入力操作部６は、ワンタッチダイヤルボタン２２、カーソルキー２４、決定ボタン２６、ダイヤルボタン２８、開始・文字ボタン３０、電源・終了ボタン３２等の各種のスイッチを備えている。ワンタッチダイヤルボタン２２は、ワンタッチダイヤルの登録操作やワンタッチダイヤル送信操作等に用いられる。カーソルキー２４は、表示部１６の画面に表示されたカーソルの画面上の移動操作に用いられ、このカーソルキー２４にはメールボタン２５が割り付けられている。このメールボタン２５は、その押下によりメール作成モードの移行時に用いられる。決定ボタン２６は、カーソルの移動位置で選択される機能処理の決定操作に用いられる。ダイヤルボタン２８は、電話番号や文字等の入力操作に用いられる。開始・文字ボタン３０は、電話の発信や着信に用いられ、文字入力の入力モードの切替えに用いられる。また、電源・終了ボタン３２は、電源の投入／切断、通話終了又は応答保留に用いられる。
【００１９】
また、ＲＯＭ８は既述のプログラムを格納し、ＲＡＭ１０は演算途上のデータや入力データの一次的な記憶に用いられる。電話帳データベース１２は、呼出しデータを登録する呼出しデータ登録部の一例であって、電話番号、メールアドレス等の呼出しデータの登録に用いられる。ワンタッチダイヤル登録部１４は、電話帳データベース１２に登録された電話番号等の呼出しデータについて、ワンタッチダイヤルボタン２２に対応する電話番号等の呼出しデータの登録に用いられる。この場合、ワンタッチダイヤル登録部１４は、ワンタッチダイヤルボタン２２に対応する電話番号等の呼出しデータの電話帳データベース１２におけるアドレスを登録するように構成してもよい。
【００２０】
また、表示部１６は、ＬＣＤ（Liquid Crystal Display）等で構成され、情報の提示、情報選択のためのカーソル表示等に用いられる。また、無線送受信部１８は、アンテナ３４を通じて高周波信号の送受信を行う無線部や、音声やデータの信号処理を行うベースバンド信号処理部等を備え、電話やメール等のセンターとの信号の無線送受に用いられる。
【００２１】
このような携帯電話機の外観形態について、図２を参照して説明する。図２は、携帯電話機の外観構成例を示している。
【００２２】
この携帯電話機２では、第１及び第２の筐体部３６、３８が備えられ、これら筐体部３６、３８はヒンジ部４０を介して開閉可能に構成されている。筐体部３６には入力操作部６のカーソルキー２４、決定ボタン２６、ダイヤルボタン２８、開始・文字ボタン３０、電源・終了ボタン３２等が設置されているとともに、送話口４２が形成され、この送話口４２から音声がマイクロフォン４４に取り込まれる。また、筐体部３８には表示部１６が設置され、この実施形態では、表示部１６の下側にワンタッチダイヤルボタン２２として３つのワンタッチダイヤルボタン２２１、２２２、２２３が設置され、表示部１６の上側に受話口４６が設置され、スピーカ４８の再生音が受話口４６から発せられる。また、筐体部３８にはアンテナ３４が伸縮自在に取り付けられているとともに、筐体部３８の背面部には他の表示部が設置されている。
【００２３】
この携帯電話機２の表示部１６には表示画面の一例として待受画面５０が表示されており、この待受画面５０では、表示領域５０２、５０４、５０６が形成され、表示領域５０２には電池残量マーク５２、受信強度マーク５４等が表示され、表示領域５０４には図示しない日付、時刻やプレインストール画像等が表示され、また、表示領域５０６にはメニュー表示５６が表示されている。
【００２４】
次に、この携帯電話機２の表示部１６の各表示画面について、図３及び図４を参照して説明する。図３はワンタッチダイヤル表示画面、ワンタッチダイヤル登録モードにおける各表示画面、図４はワンタッチダイヤル登録モードにおける表示画面、電話帳登録の表示画面を示している。
【００２５】
ワンタッチダイヤルモードにおいて、ワンタッチダイヤルの表示では、図３の（Ａ）に示すように、表示画面５６が形成され、表示領域５０２は待受画面５０と同様であり、表示領域５０４には「ワンタッチ１」、相手先名及び電話番号として例えば、「鈴木太郎」及び「03XXXXXXXX」が表示される。メールアドレスの登録があれば、そのメールアドレスがこの表示領域５０４に表示される。この状態で、開始・文字ボタン３０が押下されれば、電話送信に遷移する。
【００２６】
ワンタッチダイヤル登録モードにおいて、ワンタッチダイヤル登録の検索結果表示では、図３の（Ｂ）に示すように、表示画面５８に表示領域５０２、５０３、５０４、５０６が形成され、表示領域５０２は待受画面５０と同様であり、表示領域５０３には「ワンタッチダイヤル登録」が表示され、表示領域５０４には判断結果及び問い合わせメッセージ表示として例えば、「ワンタッチダイヤルが登録されていません」「登録しますか？」「1.電話帳から選ぶ」「2.新規に登録する」「3.登録しない」が表示され、表示領域５０６には「決定」が表示される。この場合、表示領域５０４に表示された「1.電話帳から選ぶ」「2.新規に登録する」「3.登録しない」のいずれかにカーソル表示を重ねて選択し、決定ボタン２６を操作すれば、選択された処理に遷移する。
【００２７】
ワンタッチダイヤル登録モードにおいて、登録検索表示では、図３の（Ｃ）に示すように、表示画面６０が形成され、表示領域５０２は待受画面５０と同様であり、表示領域５０３には「ワンタッチダイヤル登録」が表示され、表示領域５０４には操作ガイダンス表示として例えば、「1.５０音順で検索」「2.グループで検索」が表示され、表示領域５０６には「決定」が表示される。この場合、表示領域５０４に表示された「1.５０音順で検索」「2.グループで検索」のいずれかにカーソル表示を重ねて選択し、決定ボタン２６を操作すれば、選択された処理に遷移する。
【００２８】
ワンタッチダイヤル登録モードにおいて、ワンタッチダイヤルの登録選択表示では、図４の（Ａ）に示すように、表示画面６２が形成され、表示領域５０２は待受画面５０と同様であり、表示領域５０３には「ワンタッチダイヤル登録」が表示され、表示領域５０４には判断結果及び問い合わせメッセージ表示として例えば、「電話帳が空です」「登録しますか？」「1.新規に登録する」「2.登録しない」が表示され、表示領域５０６には「決定」が表示される。この場合、表示領域５０４に表示された「1.新規に登録する」「2.登録しない」のいずれかにカーソル表示を重ねて選択し、決定ボタン２６を操作すれば、選択された処理に遷移する。
【００２９】
電話帳登録モードにおいて、登録完了表示では、図４の（Ｂ）に示すように、表示画面６４が形成され、この表示画面６４には表示領域５０２、５０４、５０６が形成され、表示領域５０２は待受画面５０と同様であり、表示領域５０４には処理結果とともに問い合わせメッセージ表示として例えば、「電話帳に登録されました。」「ワンタッチダイヤルに登録しますか？」「1.新規に登録する」「2.登録しない」が表示され、表示領域５０６には「決定」が表示される。この場合、表示領域５０４に表示された「1.新規に登録する」「2.登録しない」のいずれかにカーソル表示を重ねて選択し、決定ボタン２６を操作すれば、選択された処理に遷移する。
【００３０】
次に、本発明の通信端末装置のダイヤル登録方法及びダイヤル登録プログラムの実施形態について、図５、図６、図７、図８及び図９を参照して説明する。図５は、携帯電話機のワンタッチダイヤル登録方法又はダイヤル登録プログラムの処理手順を示すフローチャートである。図６ないし図９は、未登録のワンタッチダイヤルボタンを操作した場合の処理であって、図６は電話帳登録があって、抽出して登録する場合の処理を示す画面表示の推移、図７は電話帳登録があって、新規に登録する場合の処理を示す画面表示の推移、図８は電話帳登録があって、登録しない場合の処理を示す画面表示の推移、図９は電話帳が未登録であって、新規登録する場合の処理を示す画面表示の推移を示している。このフローチャートに記載された処理手順は、ＲＯＭ１０に格納されるが、ＲＯＭ１０以外の記憶媒体に記憶させてもよい。
【００３１】
ワンタッチダイヤルボタン２２１、２２２、２２３のいずれかを押下すると、ワンタッチダイヤルモードに移行し、ワンタッチダイヤルに登録済か否かの判定が行われる（ステップＳ１）。この場合、ワンタッチダイヤルボタン２２１〜２２３を押下すると、これらワンタッチダイヤルボタン２２１〜２２３に対応するアドレスに電話番号が割り付けられて登録されているか否かの照合が行われる。この判定の結果、例えば、ワンタッチダイヤルボタン２２１が押下されている場合には、図３の（Ａ）に示す表示画面５６が表示され、ワンタッチダイヤルボタン２２１を表す「ワンタッチ１」、相手先名として例えば、「鈴木太郎」、電話番号として例えば、「03XXXXXXXX」が表示される（ステップＳ２）。これにより、ワンタッチダイヤルボタン２２１に表示された相手先及び電話番号の登録を知ることができる。
【００３２】
ワンタッチダイヤルに登録されていない場合には、電話帳データベース１２の検索処理が実行される（ステップＳ３）。この検索処理により、電話帳データベース１２に電話番号が登録済か否かの判定が行われ（ステップＳ４）、電話帳データベース１２に電話番号が登録されている場合にはワンタッチダイヤル登録モードに移行し、図３の（Ｂ）に示す表示画面５８が表示され（ステップＳ５）、電話帳データベース１２から電話番号を抽出する、新規登録をする又は登録をしないのいずれかの選択指示が成される（ステップＳ６）。ここで、登録しない場合を選択した場合には、図２の待受画面５０に遷移する。また、電話帳データベース１２から電話番号を選択する場合には、図３の（Ｃ）に示す表示画面６０が表示される（ステップＳ７）。また、新規登録が選択された場合には、電話帳登録モードに移行する。
【００３３】
また、ステップＳ４で電話帳データベース１２に電話番号の登録が無い場合には、図４の（Ａ）に示す表示画面６２が表示され（ステップＳ８）、この表示画面６２において、新規登録又は登録しないのいずれかを選択することになる（ステップＳ９）。登録しない場合には、これらの処理を終了し、既述の待受画面５０（図２）に戻る。新規登録が選択された場合には、電話帳登録モードに移行し（ステップＳ１０）、ダイヤルボタン２８から電話番号等を入力する。この入力が完了すると、ワンタッチダイヤルに登録するか否かの判定が行われ（ステップＳ１１）、この場合、図４の（Ｂ）に示す表示画面６４が表示される。登録しない場合には、待受画面５０（図２）に戻り、ワンタッチダイヤル登録をする場合には、表示画面６４から決定ボタン２６を押下すれば、ワンタッチダイヤル登録処理が実行され（ステップＳ１２）、押下されているワンタッチダイヤルボタン２２１〜２２３に電話番号が登録された後、待受画面５０（図２）に戻る。
【００３４】
このような処理手順において、ワンタッチダイヤルが未登録であって、電話番号データが存在している電話帳データベース１２からワンタッチダイヤル登録をする場合には、図６の（Ａ）、（Ｂ）及び（Ｃ）に示す処理及び表示画面が表示される。未登録のワンタッチダイヤルボタン２２１〜２２３の押下により、表示画面５８｛図３の（Ｂ）｝が表示され、電話帳データベース１２から電話番号を選択する場合には、表示画面６０｛図３の（Ｃ）｝が表示された後、ワンタッチダイヤル登録を行う場合には、ワンタッチダイヤル登録処理及びその表示画面が表示され、ワンタッチダイヤル登録が完了する。
【００３５】
また、ワンタッチダイヤルが未登録であって、電話番号データが存在している電話帳データベース１２に新規登録する場合には、図７の（Ａ）及び（Ｂ）に示す処理及び表示画面が表示される。即ち、未登録のワンタッチダイヤルボタン２２１〜２２３の押下により、表示画面５８｛図３の（Ｂ）｝が表示され、新規登録する場合には電話帳登録画面に遷移する。
【００３６】
ワンタッチダイヤル登録モードから電話帳データベース１２に直接に電話番号登録が行えるので、ボタン操作の回数が少なく、電話番号登録及びワンタッチダイヤル登録を連続的に行える。
【００３７】
また、電話帳データベース１２に電話番号データが存在している場合であって、ワンタッチダイヤルが未登録のとき、ワンタッチダイヤル登録をしない場合には、図８の（Ａ）及び（Ｂ）に示す処理及び表示画面が表示される。未登録のワンタッチダイヤルボタン２２１〜２２３の押下により、表示画面５８｛図３の（Ｂ）｝が表示され、電話番号を登録しない場合にはワンタッチダイヤル登録モードを終了し、待受画面５０（図２）に遷移する。
【００３８】
また、電話帳データベース１２が未登録であって、ワンタッチダイヤル登録モードから電話番号の新規登録をする場合には、図９の（Ａ）及び（Ｂ）に示す処理及び表示画面が表示される。未登録のワンタッチダイヤルボタン２２１〜２２３の押下により、表示画面６２｛図４の（Ａ）｝が表示され、新規登録する場合には電話帳登録画面に遷移する。
【００３９】
この場合も、ワンタッチダイヤル登録モードから電話帳データベース１２に直接に電話番号登録が行えるので、ボタン操作の回数が少なく、電話番号登録及びワンタッチダイヤル登録を連続的に行える。
【００４０】
また、電話帳データベース１２が未登録であって、ワンタッチダイヤル登録モードで電話番号の新規登録をしない場合には、図１０の（Ａ）及び（Ｂ）に示す処理及び表示画面が表示される。未登録のワンタッチダイヤルボタン２２１〜２２３の押下により、表示画面６２｛図４の（Ａ）｝が表示され、電話番号を登録しない場合には待受画面５０（図２）に遷移する。
【００４１】
次に、この携帯電話機のワンタッチダイヤルによる送信方法又は送信プログラムについて、図１１及び図１２を参照して説明する。図１１はワンタッチダイヤルボタン操作による送信処理手順を示すフローチャート、図１２はその表示画面の推移を示す図である。
【００４２】
ワンタッチダイヤルボタン２２１、２２２、２２３に電話番号が登録された携帯電話機２では、ワンタッチダイヤルボタン２２１、２２２、２２３のいずれか、例えば、ワンタッチダイヤルボタン２２１が押下されると、その押下時間が所定時間例えば、１秒以上か否かが判定される（ステップＳ２１）。その押下時間が１秒以上である場合には、送信処理が実行され、ワンタッチダイヤルボタン２２１の押下のみで他のボタン操作を全く必要とすることなく、ワンタッチダイヤルボタン２２１に割り付けられた電話番号に対する発呼処理が完了し、通話をすることができる。
【００４３】
ワンタッチダイヤルボタン２２１の押下時間が１秒未満の場合には、ワンタッチダイヤル画面として図３の（Ａ）に示す表示画面５６が表示される（ステップＳ２３）。この場合、ワンタッチダイヤルボタン２２１に割り付けられた電話番号データとして「ワンタッチ１」、相手先名として例えば、「鈴木太郎」、電話番号として例えば、「03XXXXXXXX」が表示される。
【００４４】
この表示画面５６において、カーソルキー２４に割り付けられたメールボタン２５を押下すれば、メール作成画面が表示部１６に展開され、ダイヤルボタン２８による文字入力によりメール作成が可能である。このメール作成を終了し、決定ボタン２６の押下でメール内容の確定処理の後、開始・文字ボタン３０を押下すれば、ワンタッチダイヤルに登録された相手先にメール送信を行うことができる。
【００４５】
また、ワンタッチダイヤル画面の表示状態において、開始・文字ボタン３０が押下されたか否かが判定され（ステップＳ２４）、開始・文字ボタン３０が押下された場合には送信処理に移行し（ステップＳ２２）、開始・文字ボタン３０を押下することなく、電源・終了ボタン３２を押下すると、送信モードが解除され、待受画面５０（図２）に戻る。
【００４６】
そして、ワンタッチダイヤルボタン２２１、２２２、２２３の押下による送信処理では、図１２の（Ａ）及び（Ｂ）に示す表示画面に推移する。即ち、ワンタッチダイヤルボタン２２１、２２２、２２３のいずれかの押下で送信処理が実行され、この送信処理では図１２の（Ｂ）に示すように、表示部１６に表示画面６６が表示され、この表示画面６６には表示領域５０２、５０４が形成され、表示領域５０２には、電池残量マーク５２、受信強度マーク５４等が表示され、表示領域５０４には、携帯電話機の表示画像とともに「発信しています」及び相手先電話番号として例えば、「03XXXXXXXX」が表示される。
【００４７】
このように、ワンタッチダイヤルボタン２２１、２２２、２２３に電話番号が登録されていれば、ワンタッチダイヤルボタン２２１、２２２、２２３のいずれかを押下することにより、登録されている相手先に発信し、通話をすることができる。
【００４８】
以上説明した実施形態について、その特徴事項や変形例等を以下に列挙する。
【００４９】
(1) 上記実施形態に示したように、ワンタッチダイヤル画面からの電話番号入力、メールアドレス入力、相手先名入力等の呼出しデータの編集及び登録制御処理ができるとともに、登録済みの電話帳データベースから呼出しデータとして例えば、電話番号を抽出し、ワンタッチダイヤル登録処理を行えるので、ボタン操作や処理の回数を減らすことができるとともに、電話番号がすぐに参照できない状態での電話番号登録が可能である。
【００５０】
(2) 操作のし易さを重視するユーザに対し、操作が簡単で、その操作を覚え易く、使い易いという利便性の高い携帯電話機等の通信端末装置を提供できる。
【００５１】
(3) しかも、ワンタッチダイヤル登録のための表示画面では、電話番号登録が行われていない場合には、その旨の表示とともに、登録へのメッセージ表示が行われるので、操作ガイダンスの充実した携帯電話機等の通信端末装置を提供できる。
【００５２】
(4) 上記実施形態では、通信端末装置の一例として、携帯電話機を例示したが、本発明は、通信機能を備えたＰＤＡやパーソナルコンピュータ、デジタルカメラ等にも適用できるものであり、実施形態の内容に限定されるものではない。
【００５３】
(5) 上記実施形態では、登録すべき呼出しデータとして電話番号、メールアドレスを例示したが、その他の呼出し情報を登録する構成としてもよい。
【００５４】
(6) 上記実施形態では、ワンタッチダイヤルボタンを３組としたが、４以上を設置してもよく、また、３組のワンタッチダイヤルボタンを２以上組み合わせることにより、４以上のワンタッチダイヤル登録を設定する構成としてもよい。
【００５５】
次に、以上述べた本発明の通信端末装置、そのダイヤル登録方法及びダイヤル登録プログラムの各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００５６】
（付記１）  ワンタッチダイヤルボタンを備えた通信端末装置であって、
呼出しデータを登録する呼出しデータ登録部と、
ワンタッチダイヤルボタンに呼出しデータを登録するワンタッチダイヤル登録部と、
ワンタッチダイヤルボタンの操作を受け、前記ワンタッチダイヤル登録部又は前記呼出しデータ登録部に呼出しデータの登録があるか否かを判定し、その判定結果とともに、呼出しデータの登録問い合わせを表すメッセージ出力を発生する制御部と、
を備えたことを特徴とする通信端末装置。
【００５７】
斯かる構成とすれば、呼出しデータ登録部には電話番号等の呼出しデータが登録され、ワンタッチダイヤル登録部にはワンタッチダイヤルボタンに対応する電話番号等の呼出しデータが登録される。そこで、ワンタッチダイヤルボタンが操作されると、その操作を受け、制御部では、ワンタッチダイヤルボタンに呼出しデータが登録されているか否かが判定される。この判定の結果、制御部にはその判定結果を表す出力とともに、呼出しデータ登録に向けた登録問い合わせのメッセージ出力が得られる。これらの出力を用いれば、ワンタッチダイヤルボタンの操作により、ユーザは、呼出しデータ登録の有無が確認でき、登録問い合わせメッセージにより、呼出しデータ登録の判断をすることができる。
【００５８】
（付記２）  処理内容を表す画面を表示する表示部を備え、前記判定結果及び前記問い合わせメッセージ出力を受け、前記判定結果及び前記問い合わせメッセージとともに、選択情報を表す画面を前記表示部に表示することを特徴とする付記１記載の通信端末装置。      
【００５９】
斯かる構成とすれば、ワンタッチダイヤルボタンが操作されると、登録の有無の判定の後、表示部には電話番号等の呼出しデータの登録問い合わせメッセージとともに、選択情報を表す画面が展開される。ユーザは、そのメッセージに従って選択情報から例えば、登録を選択し、所望の電話番号等の呼出しデータを入力し、容易にワンタッチダイヤルボタンにその呼出しデータが登録される。
【００６０】
（付記３）  ワンタッチダイヤルボタンを備えた通信端末装置であって、
呼出しデータを登録する呼出しデータ登録部と、
ワンタッチダイヤルボタンに呼出しデータを登録するワンタッチダイヤル登録部と、
ワンタッチダイヤルボタンの操作を受け、前記ワンタッチダイヤル登録部及び前記呼出しデータ登録部に呼出しデータの登録が無い場合には、新規に入力される呼出しデータを前記呼出しデータ登録部に登録する制御部と、
を備えたことを特徴とする通信端末装置。
【００６１】
斯かる構成とすれば、ワンタッチダイヤルボタンの操作により、電話番号等の呼出しデータの未登録が確認できるとともに、その場合、ワンタッチダイヤルボタンの操作の処理から他の処理に遷移することなく、呼出しデータ登録部に呼出しデータの登録が可能である。この登録に基づき、ワンタッチダイヤルボタンにその呼出しデータを他の処理に遷移することなく、登録させることができる。このため、ワンタッチダイヤルボタンに対応する呼出しデータの登録が、少ない操作回数を以て実現される。
【００６２】
（付記４）  ワンタッチダイヤルボタンを備えた通信端末装置であって、
呼出しデータを登録する呼出しデータ登録部と、
ワンタッチダイヤルボタンに呼出しデータを登録するワンタッチダイヤル登録部と、
ワンタッチダイヤルボタンの操作を受け、前記ワンタッチダイヤル登録部に呼出しデータの登録が無い場合には、前記呼出しデータ登録部から抽出された呼出しデータを前記ワンタッチダイヤル登録部に登録する制御部と、
を備えたことを特徴とする通信端末装置。
【００６３】
斯かる構成とすれば、ワンタッチダイヤルボタンの操作により、ワンタッチダイヤル登録部に電話番号等の呼出しデータの未登録が確認できるとともに、その場合、ワンタッチダイヤルボタンの操作の処理から他の処理に遷移することなく、呼出しデータ登録部の検索に移行することができ、呼出しデータ登録部に該当する呼出しデータが登録されている場合には、呼出しデータ登録部から抽出された当該呼出しデータを他の処理に遷移することなく、ワンタッチダイヤルボタンに登録させることができる。このため、ワンタッチダイヤルボタンに対応する呼出しデータの登録が、少ない操作回数を以て実現される。
【００６４】
（付記５）  ワンタッチダイヤルボタンを備えた通信端末装置のダイヤル登録方法であって、
呼出しデータを呼出しデータ登録部に登録する処理と、
ワンタッチダイヤルボタンに対応する呼出しデータをワンタッチダイヤル登録部に登録する処理と、
ワンタッチダイヤルボタンの操作を受け、前記ワンタッチダイヤル登録部又は前記呼出しデータ登録部に呼出しデータの登録があるか否かを判定し、その判定結果とともに、呼出しデータの登録問い合わせを表すメッセージを発生する処理と、
を含むことを特徴とする通信端末装置のダイヤル登録方法。
【００６５】
斯かる構成とすれば、通信端末装置について既述した通り、ワンタッチダイヤルボタンの操作により、ユーザは、呼出しデータの登録の有無が確認でき、登録問い合わせメッセージにより、呼出しデータ登録の判断が行える。
【００６６】
（付記６）  ワンタッチダイヤルボタンを備えた通信端末装置のダイヤル登録方法であって、
呼出しデータを呼出しデータ登録部に登録する処理と、
ワンタッチダイヤルボタンに対応する呼出しデータをワンタッチダイヤル登録部に登録する処理と、
ワンタッチダイヤルボタンの操作を受け、前記ワンタッチダイヤル登録部及び前記呼出しデータ登録部に呼出しデータの登録が無い場合には、新規に入力される呼出しデータを前記呼出しデータ登録部に登録する処理と、
を含むことを特徴とする通信端末装置のダイヤル登録方法。
【００６７】
斯かる構成とすれば、通信端末装置について既述した通り、ワンタッチダイヤルボタンに呼出しデータを他の処理に遷移することなく、登録させることができ、その登録が少ない操作回数を以て実現される。
【００６８】
（付記７）  ワンタッチダイヤルボタンを備えた通信端末装置のダイヤル登録方法であって、
呼出しデータを呼出しデータ登録部に登録する処理と、
ワンタッチダイヤルボタンに対応する呼出しデータをワンタッチダイヤル登録部に登録する処理と、
ワンタッチダイヤルボタンの操作を受け、前記ワンタッチダイヤル登録部に呼出しデータの登録が無い場合には、前記呼出しデータ登録部から抽出された呼出しデータを前記ワンタッチダイヤル登録部に登録する処理と、
を含むことを特徴とする通信端末装置のダイヤル登録方法。
【００６９】
斯かる構成とすれば、既述した通り、ワンタッチダイヤルボタンに呼出しデータを他の処理に遷移することなく、呼出しデータ登録部から抽出して登録させることができ、その登録が少ない操作回数を以て実現される。
【００７０】
（付記８）  ワンタッチダイヤルボタンを備えた通信端末装置のダイヤル登録プログラムであって、
呼出しデータを呼出しデータ登録部に登録するステップと、
ワンタッチダイヤルボタンに対応する呼出しデータをワンタッチダイヤル登録部に登録するステップと、
ワンタッチダイヤルボタンの操作を受け、前記ワンタッチダイヤル登録部又は前記呼出しデータ登録部に呼出しデータの登録があるか否かを判定し、その判定結果とともに、呼出しデータの登録問い合わせを表すメッセージを発生するステップと、
を含み、これらのステップを情報処理部で処理することを特徴とする通信端末装置のダイヤル登録プログラム。
【００７１】
斯かる構成とすれば、通信端末装置のダイヤル登録方法について既述した通り、ワンタッチダイヤルボタンの操作により、ユーザは、呼出しデータ登録の有無が確認でき、登録問い合わせメッセージにより、呼出しデータ登録の判断が行える。
【００７２】
（付記９）  ワンタッチダイヤルボタンを備えた通信端末装置のダイヤル登録プログラムであって、
呼出しデータを呼出しデータ登録部に登録するステップと、
ワンタッチダイヤルボタンに対応する呼出しデータをワンタッチダイヤル登録部に登録するステップと、
ワンタッチダイヤルボタンの操作を受け、前記ワンタッチダイヤル登録部及び前記呼出しデータ登録部に呼出しデータの登録が無い場合には、新規に入力される呼出しデータを前記呼出しデータ登録部に登録するステップと、
を含み、これらのステップを情報処理部で処理することを特徴とする通信端末装置のダイヤル登録プログラム。
【００７３】
斯かる構成とすれば、既述した通り、ワンタッチダイヤルボタンに呼出しデータを他の処理に遷移させることなく、少ない操作回数を以て登録することが可能となる。
【００７４】
（付記１０）  ワンタッチダイヤルボタンを備えた通信端末装置のダイヤル登録プログラムであって、
呼出しデータを呼出しデータ登録部に登録するステップと、
ワンタッチダイヤルボタンに対応する呼出しデータをワンタッチダイヤル登録部に登録するステップと、
ワンタッチダイヤルボタンの操作を受け、前記ワンタッチダイヤル登録部に呼出しデータの登録が無い場合には、前記呼出しデータ登録部から抽出された呼出しデータを前記ワンタッチダイヤル登録部に登録するステップと、
を含み、これらのステップを情報処理部で処理することを特徴とする通信端末装置のダイヤル登録プログラム。
【００７５】
斯かる構成とすれば、既述した通り、ワンタッチダイヤルボタンに呼出しデータを他の処理に遷移することなく、呼出しデータ登録部から抽出し、少ない操作回数を以て登録させることができる。
【００７６】
（付記１１）  処理内容を表す画面を表示部に表示する処理と、
前記判定結果及び前記問い合わせメッセージ出力を受け、前記判定結果及び前記問い合わせメッセージとともに、選択情報を表す画面を前記表示部に表示する処理と、
を含むことを特徴とする付記５記載の通信端末装置のダイヤル登録方法。
【００７７】
（付記１２）  処理内容を表す画面を表示部に表示するステップと、
前記判定結果及び前記問い合わせメッセージ出力を受け、前記判定結果及び前記問い合わせメッセージとともに、選択情報を表す画面を前記表示部に表示するステップと、
を含むことを特徴とする付記８記載の通信端末装置のダイヤル登録プログラム。
【００７８】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００７９】
本発明は、ワンタッチダイヤルボタンを備えた通信端末装置に関し、未登録のワンタッチダイヤルボタンの操作から電話番号やメールアドレス等の呼出しデータの登録を可能にしたもので、電話番号等の登録に要する操作を簡略化することができ、操作性及び利便性の高い通信端末装置を実現できる。
【符号の説明】
【００８０】
２  携帯電話機（通信端末装置）
４  制御部
６  入力操作部
１２  電話帳データベース（呼出しデータ登録部）
１４  ワンタッチダイヤル登録部
１６  表示部
２２、２２１、２２２、２２３  ワンタッチダイヤルボタン
【図１】
2010063171.tif 000003
【図２】
2010063171.tif 000004
【図３】
2010063171.tif 000005
【図４】
2010063171.tif 000006
【図５】
2010063171.tif 000007
【図６】
2010063171.tif 000008
【図７】
2010063171.tif 000009
【図８】
2010063171.tif 000010
【図９】
2010063171.tif 000011
【図１０】
2010063171.tif 000012
【図１１】
2010063171.tif 000013
【図１２】
2010063171.tif 000014